(57)【要約】【課題】洗浄槽内に給水して食器を洗浄する食器洗浄装置において、待機時消費電力量をほとんど零にし、電源オフ状態で給水手段からの水漏れを検出できるようにする。【解決手段】交流電源１に直列に接続した電源リレー２にパワースイッチング手段３を直列に接続し、パワースイッチング手段３により給水弁４を制御して洗浄槽内に給水し、洗浄ポンプ５により食器に洗浄水を噴射するとともに、洗浄槽内の洗浄水を排水ポンプ６により排水する。洗浄槽内の水位を水位スイッチ７により検出し、制御手段８によりパワースイッチング手段３を制御して運転制御し、この制御手段８に起動スイッチ９より通電可能とする。起動スイッチ９と並列に水位スイッチ７を接続し、起動スイッチ９あるいは水位スイッチ７により運転起動するようにする。【選択図】図１
2005095484.tif 000002
【特許請求の範囲】
【請求項１】
交流電源と、前記交流電源に直列に接続した電源開閉手段と、前記電源開閉手段に直列に接続したパワースイッチング手段と、前記パワースイッチング手段により制御され洗浄槽内に給水する給水手段と、食器に洗浄水を噴射する洗浄手段と、洗浄槽内の洗浄水を排水する排水手段と、洗浄槽内の水位を検出する水位スイッチと、前記パワースイッチング手段を制御して運転制御する制御手段と、前記制御手段に通電可能とした起動スイッチとを備え、前記起動スイッチに並列に前記水位スイッチを接続し、前記起動スイッチあるいは前記水位スイッチにより運転起動するようにした食器洗浄装置。
【請求項２】
水位スイッチは、設定水位に達すると接点が閉じるようにし、接点が閉じると制御手段に通電して運転起動するようにした請求項１記載の食器洗浄装置。
【請求項３】
電源開閉手段と並列に起動スイッチと水位スイッチを接続し、起動スイッチあるいは水位スイッチより制御手段に通電して前記電源開閉手段を閉じるようにした請求項１記載の食器洗浄装置。
【請求項４】
水位スイッチは、共通端子、常閉接点および常開接点を有し、設定水位に達すると前記常閉接点が開いて前記常開接点が閉じるようにし、前記常開接点が閉じると制御手段に通電して運転起動し、前記常閉接点の信号により水位判定するようにした請求項１記載の食器洗浄装置。
【請求項５】
運転起動時、水位スイッチの信号により設定水位を判定した場合、排水手段を駆動するようにした請求項４記載の食器洗浄装置。
【請求項６】
運転途中行程あるいは運転終了を記憶する記憶手段を備え、制御手段は、運転起動時に前記記憶手段の記憶信号と水位スイッチの水位信号により異常処理運転を実行するかどうか判別するようにした請求項１記載の食器洗浄装置。
【請求項７】
水位異常を検出する溢水異常検知手段を備え、制御手段は、運転起動時に前記溢水異常検知手段からの異常信号を検出した場合、排水手段を駆動するようにした請求項１記載の食器洗浄装置。
【請求項８】
交流電源と、前記交流電源に直列に接続した電源開閉手段と、前記電源開閉手段に直列に接続したパワースイッチング手段と、前記パワースイッチング手段により制御され洗浄槽内に給水する給水手段と、前記交流電源の交流電力を直流電力に変換する整流回路と、前記整流回路の直流電力を交流電力に変換するインバータ回路と、前記インバータ回路の出力端子に接続され洗浄ポンプを駆動するモータと、洗浄槽内の水位を検出する水位スイッチと、前記パワースイッチング手段あるいは前記インバータ回路を制御して運転制御する制御手段と、前記制御手段に通電可能とした起動スイッチとを備え、前記起動スイッチと前記水位スイッチとの並列接続体に直列に接続した限流抵抗より起動回路を構成し、前記電源開閉手段と前記起動回路を並列に接続するようにした食器洗浄装置。
【発明の詳細な説明】
【技術分野】
【０００１】
本発明は、洗浄槽内に給水して食器を洗浄する食器洗浄装置に関するものである。
【背景技術】
【０００２】
従来、この種の食器洗浄装置は、給水手段を家庭の水道蛇口に直結して接続しているので、給水手段からの水漏れを溢水検知手段により常に検知する必要があった（例えば、特許文献１参照）。
【特許文献１】特開平４−３３６３６号公報
【発明の開示】
【発明が解決しようとする課題】
【０００３】
しかしながら、上記従来の構成では、給水手段からの水漏れを検知する溢水検知手段からの検知信号をマイクロコンピュータにより検出する必要があるので、マイクロコンピュータは常に待機動作状態にする必要があり、マイクロコンピュータとその周辺回路の待機時消費電力量が、洗浄運転の消費電力量の１０〜２０％にも達するという問題があった。
【０００４】
本発明は上記従来の課題を解決するもので、待機時消費電力量をほとんど零にし、電源オフ状態で給水手段からの水漏れを検出できるようにすることを目的としている。
【課題を解決するための手段】
【０００５】
本発明は上記目的を達成するために、交流電源に直列に接続した電源開閉手段にパワースイッチング手段を直列に接続し、パワースイッチング手段により給水手段を制御して洗浄槽内に給水し、洗浄手段により食器に洗浄水を噴射するとともに、洗浄槽内の洗浄水を排水手段により排水し、洗浄槽内の水位を水位スイッチにより検出し、制御手段によりパワースイッチング手段を制御して運転制御し、この制御手段に起動スイッチより通電可能とするよう構成し、起動スイッチと並列に水位スイッチを接続し、起動スイッチあるいは水位スイッチにより運転起動するようにしたものである。
【０００６】
これにより、待機時消費電力量をほとんど零にし、電源オフ状態で給水手段からの水漏れを検出することができる。
【発明の効果】
【０００７】
本発明の食器洗浄装置は、起動スイッチあるいは水位スイッチにより制御手段に通電可能とし、設定水位に達すると制御手段に通電されて運転起動して給水手段からの水漏れを検出することができ、運転中以外は通電されないため待機時消費電力をほとんど零にすることができる。
【発明を実施するための最良の形態】
【０００８】
第１の発明は、交流電源と、前記交流電源に直列に接続した電源開閉手段と、前記電源開閉手段に直列に接続したパワースイッチング手段と、前記パワースイッチング手段により制御され洗浄槽内に給水する給水手段と、食器に洗浄水を噴射する洗浄手段と、洗浄槽内の洗浄水を排水する排水手段と、洗浄槽内の水位を検出する水位スイッチと、前記パワースイッチング手段を制御して運転制御する制御手段と、前記制御手段に通電可能とした起動スイッチとを備え、前記起動スイッチに並列に前記水位スイッチを接続し、前記起動スイッチあるいは前記水位スイッチにより運転起動するようにしたものであり、設定水位に達すると制御手段に通電されて運転起動し、水漏れを検知することができ、洗浄運転や漏水以外には通電されないので待機時消費電力をほとんど零にすることができる。
【０００９】
第２の発明は、上記第１の発明において、水位スイッチは、設定水位に達すると接点が閉じるようにし、接点が閉じると制御手段に通電して運転起動するようにしたものであり、漏水時には設定水位に達すると制御手段に通電されるので、制御手段を常に連続通電する必要がなく、待機時消費電力をほとんど零にすることができる。
【００１０】
第３の発明は、上記第１の発明において、電源開閉手段と並列に起動スイッチと水位スイッチを接続し、起動スイッチあるいは水位スイッチより制御手段に通電して前記電源開閉手段を閉じるようにしたものであり、起動スイッチあるいは水位スイッチが閉じると、制御手段により電源開閉手段を駆動して自己保持することができるので、特別な自己保持スイッチを使う必要がなく、安価な構成によりほとんど待機電力零の状態から運転起動することがいできる。
【００１１】
第４の発明は、上記第１の発明において、水位スイッチは、共通端子、常閉接点および常開接点を有し、設定水位に達すると前記常閉接点が開いて前記常開接点が閉じるようにし、前記常開接点が閉じると制御手段に通電して運転起動し、前記常閉接点の信号により水位判定するようにしたものであり、運転起動してから水位スイッチの状態より設定水位に達したかどうか判定することができ、運転起動時の水位スイッチの常閉接点信号の有無より溢水により通電されたものかどうか判別することができる。
【００１２】
第５の発明は、上記第４の発明において、運転起動時、水位スイッチの信号により設定水位を判定した場合、排水手段を駆動するようにしたものであり、運転起動時、水位スイッチの常閉接点の信号より設定水位以上と判別すると異常と判別し、排水手段を駆動して排水するので、給水手段から水漏れが発生した場合でも排水手段により排水することができ、洗浄槽から溢水する恐れをなくすることができる。
【００１３】
第６の発明は、上記第１の発明において、運転途中行程あるいは運転終了を記憶する記憶手段を備え、制御手段は、運転起動時に前記記憶手段の記憶信号と水位スイッチの水位信号により異常処理運転を実行するかどうか判別するようにしたものであり、記憶手段に記憶された前回運転の行程記憶信号と水位信号により、洗浄あるいはすすぎ運転途中で終了したか、あるいは、正常に終了したにもかかわらず設定水位に達したか判別でき、正常終了で設定水位に達すると異常と判別して異常処理運転を実行するので、洗浄槽から溢水する恐れがなく、使用者が誤動作と誤る恐れもなくすることができる。
【００１４】
第７の発明は、上記第１の発明において、水位異常を検出する溢水異常検知手段を備え、制御手段は、運転起動時に前記溢水異常検知手段からの異常信号を検出した場合、排水手段を駆動するようにしたものであり、洗浄あるいはすすぎ運転中に運転終了して排水されない状態で運転起動した場合と、給水手段からの水漏れにより水位スイッチがオンして運転起動した場合の区別ができなくても、溢水異常検知手段により異常水位を検知して排水手段を駆動して排水するので、給水手段から水漏れが発生した場合でも排水手段により必ず排水するので、洗浄槽から溢水する恐れをなくすることができる。
【００１５】
第８の発明は、交流電源と、前記交流電源に直列に接続した電源開閉手段と、前記電源開閉手段に直列に接続したパワースイッチング手段と、前記パワースイッチング手段により制御され洗浄槽内に給水する給水手段と、前記交流電源の交流電力を直流電力に変換する整流回路と、前記整流回路の直流電力を交流電力に変換するインバータ回路と、前記インバータ回路の出力端子に接続され洗浄ポンプを駆動するモータと、洗浄槽内の水位を検出する水位スイッチと、前記パワースイッチング手段あるいは前記インバータ回路を制御して運転制御する制御手段と、前記制御手段に通電可能とした起動スイッチとを備え、前記起動スイッチと前記水位スイッチとの並列接続体に直列に接続した限流抵抗より起動回路を構成し、前記電源開閉手段と前記起動回路を並列に接続するようにしたものであり、、制御手段への電源が供給されていなくても水位スイッチにより水漏れを検出できるので、待機時消費電力をほとんど零にできるだけではなく、水位スイッチにより通電した時のインバータ回路の平滑コンデンサへの突入電流を限流抵抗により小さくすることができ、水位スイッチ、あるいは電源開閉手段の突入電流を減らして接点の信頼性を向上することができる。
【００１６】
以下、本発明の実施の形態について、図面を参照しながら説明する。なお、この実施の形態によって本発明が限定されるものではない。
【００１７】
（実施の形態１）
図１は、本発明の第１の実施の形態における食器洗浄装置のブロック図を示すものである。
【００１８】
図１に示すように、交流電源１は電源リレー（電源開閉手段）２を直列に接続し、電源リレー２に直列にパワースイッチング手段３を接続して負荷をオンオフ制御する。パワースイッチング手段３は、双方向制御可能な３端子サイリスタ（以下、サイリスタという）、リレーなどで構成している。給水弁（給水手段）４は食器を格納する洗浄槽（図示せず）内に給水するもので、サイリスタ３０によりオンオフ制御される。洗浄ポンプ（洗浄手段）５は食器に洗浄水を噴射するもので、モータにより駆動される回転ポンプで構成し、サイリスタ３１により回転制御される。排水ポンプ（排水手段）６は洗浄槽内の洗浄水を排水するもので、モータにより駆動される回転ポンプより構成し、サイリスタ３２により回転制御される。
【００１９】
水位スイッチ７は、洗浄槽内の水位に応じて開閉するもので、通常は、水位に応じて上下移動するフロートと、マイクロスイッチよりなるフロートスイッチとで構成し、共通端子、常閉接点および常開接点を有し、図１に示すように、共通端子Ｃ、常閉接点端子ＮＣ、常開接点端子ＮＯより構成される。洗浄槽内の水位が洗浄運転可能な設定水位に達すると、常閉接点が開いて常開接点が閉じるようにし、常開接点が閉じると制御手段８に交流電力を通電して運転起動するようにしている。
【００２０】
水位スイッチ７は、設定水位を洗浄運転開始する水位に設定すると、洗浄水位検知スイッチと電源オフ時の水漏れ検知スイッチを兼用することができる。
【００２１】
電源リレー２と並列に、起動スイッチ９と水位スイッチ７を接続し、起動スイッチ９あるいは水位スイッチ７を介して制御手段８に交流電力が供給されると、制御手段８は電源リレー２を導通させて自己保持動作を行う。
【００２２】
送風手段１０は洗浄槽内の食器を乾燥させるもので、サイリスタ３３に制御される。また、加熱手段１１は洗浄水を加熱するもので、ヒータリレー３４により制御される。
【００２３】
蓋スイッチ１２は、洗浄槽の蓋（図示せず）の開閉に連動して動作するもので、パワースイッチング手段３に直列に接続し、蓋開時には接点が開き、蓋閉時には接点が閉じて負荷の駆動が可能となる。ただし、蓋開時でも排水ポンプ６は動作可能とするために、蓋スイッチ１２とは独立した回路にしている。
【００２４】
蓋スイッチ１２とパワースイッチング手段３との間に加熱手段１１等の負荷回路を接続することにより、蓋スイッチ１２が開くと負荷回路は交流電源１に対し両切りとなる。
【００２５】
制御手段８は、電源リレー２とパワースイッチング手段３を制御する制御回路８０と、運転コース、運転途中行程、運転終了フラグあるいは異常内容を記憶する記憶手段８１と、洗浄槽内の水位異常を検知する溢水異常検知手段８２と、交流電力を制御回路８０の必要なＤＣ５〜１５Ｖ程度の直流電力に変換する直流電源回路８３とで構成している。信号ｒｙ１、ｒｙ２は電源リレー２とヒータリレー３４を制御する信号で、信号ｔｒ１からｔｒ４はサイリスタ３０、３１、３２、３３を制御する信号である。
【００２６】
直流電源回路８３は、商用交流電圧を１０〜２０Ｖの低圧交流に変換する電源トランス８３０と、低圧交流を低電圧直流に変換する低圧整流回路８３１と、制御回路８０内の制御シーケンスを実行するマイクロコンピュータ（図示せず）等に必要な直流定電圧に変換する直流定電圧電源回路８３２とで構成している。
【００２７】
制御回路８０には、水位スイッチ７の常閉接点端子ＮＣからの水位信号ｗｓと、蓋スイッチ１２の開閉信号ｓｆが加えられ、制御回路８０に加えられる各種信号に応じて、運転を制御し、常閉接点端子ＮＣからの水位信号ｗｓがあれば、洗浄槽の水位は設定水位に達しておらず、水位信号ｗｓがない場合には設定水位に達していると判断する。また、開閉信号ｓｆがあれば蓋スイッチ１２は閉じており、開閉信号ｓｆがなければ、蓋スイッチ１２は開いていると判断する。蓋スイッチ１２が開いた場合には、排水動作以外は全て停止させ、サイリスタ３２を除いたすべてのパワースイッチング手段３は強制的にオフさせる。
【００２８】
水位スイッチ７あるいは起動スイッチ９が閉じると、直流電源回路８３に交流電力が加えられ、制御回路８０に直流定電圧が加えられてマイクロコンピュータがリセット解除され、電源リレー２を駆動して自己保持する。つぎに、水位信号ｗｓの有無を判別することにより、水位スイッチ７と起動スイッチ９のどちらが閉じたかを判別するとができる。もし、水位信号ｗｓがあれば、起動スイッチ９により起動したものと判別でき、水位信号ｗｓがなければ、洗浄槽内に洗浄水が溜まった状態で起動したものと判別でき、通常使用時にはあり得ないので異常と判定してサイリスタ３２をオンして、排水ポンプ６を所定時間以上駆動し排水運転を行う。
【００２９】
上記構成において図２を参照しながら動作を説明する。図２は、本発明による食器洗浄装置の動作を示すフローチャートである。
【００３０】
水位スイッチ７あるいは起動スイッチ９が閉じると、制御手段８に交流電力が加えられ、制御回路８０に所定の直流電圧が印加されると、制御回路８０の制御シーケンスを実行するマイクロコンピュータがリセット解除されてステップ１００よりプログラムが開始する。
【００３１】
ステップ１０１において電源リレー２を駆動し、電源リレー２が閉じると制御手段８の駆動電力は電源リレー２から供給され自己保持する。通常、マイクロコンピュータは所定電圧範囲しか動作しないので、所定電圧にてリセット解除するリセット回路が必ず存在するので、リセット解除後にプログラムが開始して最初に電源リレー２を導通させると自己保持動作となる。
【００３２】
つぎに、ステップ１０２に進んで、水位スイッチ７の常閉接点端子ＮＣ信号、すなわち水位信号を入力し、ステップ１０３にて水位信号ｗｓの有無を判定する。水位信号ｗｓがあれば洗浄槽内水位は設定水位以下で、起動スイッチ９により運転起動されたと判断してステップ１０４に進み、初期設定待機状態となり、運転コース設定、あるいは運転開始設定キーを受け付ける待機状態となり、次行程に進む。
【００３３】
水位信号ｗｓがなければ洗浄槽内水位が設定水位以上と判定し、ステップ１０５に進んで異常報知を行い、ステップ１０６に進んで排水ポンプ６を駆動して所定時間以上排水動作を行う。つぎに、ステップ１０７に進んで再度水位信号を入力し、ステップ１０８に進んで運転切り信号を入力し、ステップ１０９に進んで運転切り信号がなければステップ１１０に進んで水位信号ｗｓの有無を判別し、水位信号ｗｓがなければステップ１０５に戻り、水位信号ｗｓがあれば排水されたものと判別してステップ１１１に進み、溢水異常フラグを立て、ステップ１１２に進んで溢水異常フラグを記憶手段８１に記憶させ、ステップ１１３に進んで電源リレー２を遮断し、ステップ１１４でプログラムを終了する。
【００３４】
ステップ１０９にて運転切り信号入力があると判定した場合には、不具合を解消したものと判定し、ステップ１１５に進んで溢水異常フラグをクリヤしてステップ１１３に進み、電源リレー２をオフしてプログラムを強制終了させる。
【００３５】
以上のように、本実施の形態においては、制御手段８に通電可能とした起動スイッチ９に並列に洗浄槽内の水位を検出する水位スイッチ７を接続し、起動スイッチ９あるいは水位スイッチ７により運転起動するようにしたので、設定水位に達すると制御手段８に通電されて運転起動し、水漏れを検知することができ、洗浄運転や漏水以外には通電されないので待機時消費電力をほとんど零にすることができる。
【００３６】
また、水位スイッチ７は、設定水位に達すると常開接点が閉じるようにし、常開接点が閉じると制御手段８に通電して運転起動するようにしたので、漏水時には設定水位に達すると制御手段８に通電されるので、制御手段８を常に連続通電する必要がなく、待機時消費電力をほとんど零にすることができる。
【００３７】
また、電源リレー２と並列に起動スイッチ９と水位スイッチ７を接続し、起動スイッチ９あるいは水位スイッチ７より制御手段８に通電して電源リレー２を閉じるようにしたので、起動スイッチ９あるいは水位スイッチ７が閉じると、制御手段８により電源リレー２を駆動して自己保持することができるので、特別な自己保持スイッチを使う必要がなく、安価な構成によりほとんど待機電力零の状態から運転起動することがいできる。
【００３８】
また、水位スイッチ７は、共通端子、常閉接点および常開接点を有し、設定水位に達すると常閉接点が開いて常開接点が閉じるようにし、常開接点が閉じると制御手段８に通電して運転起動し、常閉接点の信号により水位判定するようにしたので、運転起動してから水位スイッチ７の状態より設定水位に達したかどうか判定することができ、運転起動時の水位スイッチ７の常閉接点信号の有無より溢水により通電されたものかどうか判別することができる。
【００３９】
また、運転起動時、水位スイッチ７の信号により設定水位を判定した場合、排水ポンプ６を駆動するようにしたので、運転起動時、水位スイッチ７の常閉接点の信号より設定水位以上と判別すると異常と判別し、排水ポンプ６を駆動して排水するので、給水弁４から水漏れが発生した場合でも排水ポンプ６により排水することができ、洗浄槽から溢水する恐れをなくすることができる。
【００４０】
なお、本実施の形態では、水位スイッチ７の構成は、上下移動するフロートとマイクロスイッチよりなるフロートスイッチの事例で説明したが、圧力スイッチにより構成してもよく、同様の作用、効果となることは明白である。
【００４１】
また、本実施の形態では、水位スイッチ７、起動スイッチ９、電源リレー２を並列に接続しているが、水位スイッチ７と自己保持リレーを並列に接続し、水位スイッチ７がオンすると制御手段８より自己保持リレーを駆動する方式でもよく、部品点数が増える欠点はあるが、作用、効果は同じである。
【００４２】
また、水位スイッチ７の設定水位は、通常の洗浄運転開始する水位に設定し、洗浄運転における水位の検出と、電源オフ時の水漏れ検出を兼用しているが、電源オフ時の水漏れ検出水位スイッチにより運転起動可能とし、洗浄運転の洗浄水位検知スイッチを別に設けてもよく、同様の効果となることは明白である。
【００４３】
（実施の形態２）
図１に示す制御手段８は、運転起動時に記憶手段８１の記憶信号と水位スイッチ７の水位信号により異常処理運転を実行するかどうか判別するようにし、運転起動時に溢水異常検知手段８２からの異常信号を検出した場合、排水ポンプ６を駆動するようにしている。他の構成は上記実施の形態１と同じである。
【００４４】
上記構成において図３および図４を参照しながら動作を説明する。
【００４５】
図３において、ステップ２００よりプログラムが開始し、ステップ２０１にて電源リレー２を駆動し自己保持する。つぎに、ステップ２０２に進んで水位信号を入力し、ステップ２０３に進んで記憶手段８１に記憶された前回運転の行程データを呼び出す。つぎに、ステップ２０４に進んで水位信号ｗｓの有無を判定し、水位信号ｗｓがなく水位スイッチ７がオンしたと判定すれば、ステップ２０５に進んで記憶手段８１に記憶された前回運転の運転終了フラグの有無を判定する。
【００４６】
運転終了フラグがあれば、前回運転にて正常に排水してから運転終了し、その後、水漏れにより水位が上昇したものと判断し、ステップ２０６に進んで溢水異常処理サブルーチンを実行する。
【００４７】
運転終了フラグがなければ、ステップ２０７に進んで前回の運転終了した行程が洗浄行程あるいはすすぎ行程でなければ、排水運転中、あるいは乾燥運転中に瞬時停電と起こったものと判定し、排水後に水漏れが発生して水位上昇したものと判断し、ステップ２０６に進んで溢水異常処理サブルーチンを実行する。もちろん、排水運転初期に停電が起こると設定水位以上の可能性もあるが、確率が非常に少ないので、洗浄、すすぎ運転以外は排水状態と考えてよい。
【００４８】
前回運転終了した行程が洗浄行程あるいはすすぎ行程ならば、ステップ２０８に進んで前回運転した行程の運転設定を行い、ステップ２０９に進んで運転設定表示も前回と同じ設定にして運転開始信号の入力待機状態にする。つぎに、ステップ２１０に進んで溢水異常検知手段８２からの溢水異常信号を入力し、ステップ２１１に進んで溢水異常信号があればステップ２０６に進んで溢水異常処理サブルーチンを実行する。
【００４９】
溢水異常信号がなければ、ステップ２１２に進んで運転開始信号の有無を判定し、運転開始信号があればステップ２１３に進んで運転を再開し、無ければステップ２０９に戻り運転開始信号と溢水異常信号の有無を判定するルーチンを実行する。
【００５０】
ステップ２０４において水位信号ｗｓがあれば、起動スイッチ９により運転起動されたものと判定し、ステップ２１４にて運転終了フラグの有無を判定し、運転終了フラグがなければ運転途中で停電等により停止したものと判断し、ステップ２０８に進んで前回運転行程表示を行う。運転終了フラグがあれば通常運転終了と判定し、ステップ２１５に進んで初期設定待機状態とし、ステップ２１６に進んで運転開始信号を入力し、ステップ２１７に進んで溢水異常信号を入力する。
【００５１】
つぎに、ステップ２１８に進んで溢水異常信号の有無を判定し、溢水異常信号があればステップ２０６に進んで溢水異常処理サブルーチンを実行し、なければステップ２１９に進んで運転開始信号の有無を判定し、運転開始信号があればステップ２２０に進んで運転開始し最初の行程である排水ポンプの駆動を行う。運転開始信号がなければステップ２１６に戻る。
【００５２】
通常運転終了時には必ず排水行程の後運転終了し、洗浄運転途中に運転終了操作されても、必ず排水行程の後、運転終了フラグを立て、記憶手段に運転終了を記憶させてから電源リレーを遮断して終了するので、運転終了時に洗浄槽に水が残ることは通常ではあり得ない。
【００５３】
つぎに、溢水異常処理について、図４に示す溢水異常処理サブルーチンのフローチャートを参照しながら説明する。
【００５４】
図４において、ステップ３００よりサブルーチンが開始し、ステップ３０１にて溢水異常報知（あるいは水漏れ異常報知）を行い、つぎに、ステップ３０２に進んで排水ポンプ６を所定時間以上駆動し、つぎにステップ３０３に進んで水位信号を入力し、その後ステップ３０４に進んで運転切り信号を入力し、ステップ３０５に進んで運転切り信号の有無を判定する。
【００５５】
運転切り信号がなければステップ３０６に進んで水位信号有無を判定し、洗浄槽内の水が排水されると水位スイッチ７の常閉接点がオンし、水位信号ｗｓが有となるのでステップ３０７に進んで運転終了フラグを立て、ステップ３０８に進んで運転終了フラグを記憶手段８１に記憶し、その後、ステップ３０９に進んで電源リレー２を遮断させ、ステップ３１０にてサブルーチンが終了する。
【００５６】
以上のように、本実施の形態においては、制御手段８は、運転起動時に記憶手段８１の記憶信号と水位スイッチ７の水位信号により異常処理運転を実行するかどうか判別するようにしたので、記憶手段８１に記憶された前回運転の行程記憶信号と水位信号により、洗浄あるいはすすぎ運転途中で終了したか、あるいは、正常に終了したにもかかわらず設定水位に達したか判別でき、正常終了で設定水位に達すると異常と判別して異常処理運転を実行するので、洗浄槽から溢水する恐れがなく、使用者が誤動作と誤る恐れもなくすることができる。また、停電により終了した場合は、前回運転途中から再開できるので、洗剤の再投入等の必要性がなくなる。
【００５７】
また、制御手段８は、運転起動時に溢水異常検知手段８２からの異常信号を検出した場合、排水ポンプ６を駆動するようにしたので、洗浄あるいはすすぎ運転中に運転終了して排水されない状態で運転起動した場合と、給水弁４からの水漏れにより水位スイッチ７がオンして運転起動した場合の区別ができなくても、溢水異常検知手段８２により異常水位を検知して排水ポンプ６を駆動して排水するので、給水弁４から水漏れが発生した場合でも排水ポンプ６により必ず排水するので、洗浄槽から溢水する恐れをなくすることができる。
【００５８】
（実施の形態３）
図５は、本発明の第３の実施の形態における食器洗浄装置のブロック図を示すものである。
【００５９】
図５に示すように、交流電源１は、電源リレー（電源開閉手段）２を直列に接続し、電源リレー２に直列にパワースイッチング手段３’を接続し、パワースイッチング手段３’と直列に接続した給水弁４、送風手段１０、加熱手段１１等の負荷を制御する。また、パワースイッチング手段３’と直列に蓋スイッチ１２を接続している。
【００６０】
交流電源１の一方の電源ラインＬ１側に電源リレー２を接続した場合、交流電源１の他方の電源ラインＬ２側にパワースイッチング手段３’を接続し、負荷両切り構成にして安全面の信頼性を高めている。
【００６１】
電源リレー２と並列に、常開接点と常閉接点を有する３端子の水位スイッチ７を接続し、設定水位に達すると常開接点が閉じ、制御手段８’に交流電力を供給し、制御手段８’のマイクロコンピュータのリセットが解除されてマイクロコンピュータのプログラムが開始すると、最初に電源リレー２を駆動して自己保持する。水位スイッチ７と並列に起動スイッチ９を接続し、起動スイッチ９がオンした場合も同様に電源リレー２を駆動して自己保持する。
【００６２】
電源リレー２の負荷側端子と、交流電源１の他方の端子Ｌ２間に交流電力を直流電力に変換する整流回路１３の入力端子を接続し、整流回路１３の直流出力端子Ｖｐ、Ｖｎ間にインバータ回路１４を接続し、直流電力を交流電力に変換したインバータ回路１４の出力Ｕ、Ｖ、Ｗ端子に洗浄ポンプを駆動するモータ５’を接続する。モータ５’を３相ＤＣブラシレスモータで構成すると、瞬時トルク、あるいは短時間運転時の瞬時電力を大きくできる特徴があるので、逆回転させて排水ポンプを動作させる構成にすることにより、正転で洗浄運転、逆回転で排水運転の１モータ２ポンプ構成ができる。
【００６３】
整流回路１３は、全波ブリッジ接続されたダイオードブリッジ１３ａの出力端子間に平滑コンデンサ１３ｂ、１３ｂ’を直列接続し、平滑コンデンサ１３ｂ、１３ｂ’の接続点Ｎとダイオードブリッジ１３ａの入力端子の一方の端子間を接続して倍電圧整流回路を構成する。インバータ回路１４の電圧を高くすることによりインバータ回路電流とモータ電流を減らし、変換効率を高くでき、インバータ回路１４のパワー半導体の放熱フィンを小さくすることができる。
【００６４】
水位スイッチ７あるいは起動スイッチ９が閉じたとき、整流回路１３の平滑コンデンサ１３ｂ、１３ｂ’の突入電流が大きいので、突入電流を小さくするために、水位スイッチ７と起動スイッチ９の並列接続体に直列に限流抵抗１５を接続して起動回路１６を構成し、起動回路１６は電源リレー２と並列に接続する。
【００６５】
制御手段８’は、パワースイッチング手段３’とインバータ回路１４を制御する制御回路８０’と、運転行程あるいは運転終了フラグ等を記憶する記憶手段８１と、洗浄槽の洗浄運転時の水位よりも高く、かつ、洗浄槽から溢水する可能性のある水位よりも低い水位を検知する溢水異常検知手段８２と、整流回路１３の直流電圧を数ボルトから数１０ボルトの電圧に変換する直流電源回路８３’と、モータ５’のロータ位置検出を行う位置検出手段８４とで構成している。
【００６６】
また、水位スイッチ７の常閉接点端子信号ｗｓを水位信号として制御回路８０’に加え、洗浄槽内の水位が設定水位に達したかどうかを判定する。また、蓋スイッチ１２の端子信号ｓｆを検出して蓋が閉じたかどうかを判別し、蓋スイッチ１２が開いた場合には、パワースイッチング手段３’の駆動と、インバータ回路１４による洗浄ポンプ５’の駆動を停止する。ただし、溢水異常検出した場合には、蓋スイッチ１２が開いた状態でも排水動作は可能となる。
【００６７】
直流電源回路８３’は、スイッチング電源、あるいはチョッパー電源により構成し、直流電源回路８３’の入力直流電圧、すなわち、整流回路１３の平滑コンデンサ１３ｂ’の端子電圧が所定値に達すると制御回路８０’に直流電力を供給し、マイクロコンピュータのリセット解除後電源リレー２が閉じる。いいかえれば、整流回路１３の平滑コンデンサ１３ｂ、１３ｂ’にある程度充電されてから電源リレー２が閉じるので、限流抵抗１５と水位スイッチ７、あるいは起動スイッチ９を直列接続して制御手段８’に交流電力を加えることにより、電源リレー２の突入電流を減らす効果があり、電源リレー２の信頼性も向上する。
【００６８】
なお、制御手段８’の動作フローは基本的には実施の形態１にて説明した動作と同じなので省略する。
【００６９】
以上のように、本実施の形態においては、交流電源１に電源リレー２とパワースイッチング手段３’とを直列に接続し、洗浄槽内に給水する給水弁４をパワースイッチング手段３’により制御し、交流電源１の交流電力を整流回路１３により直流電力に変換し、インバータ回路１４により直流電力を交流電力に変換して洗浄ポンプを駆動するモータ５’に交流電力を加え、水位スイッチ７により洗浄槽内の水位を検出し、制御手段８’によりパワースイッチング手段３’あるいはインバータ回路１４を制御して運転制御し、起動スイッチ９により制御手段８’を通電可能とし、起動スイッチ９と水位スイッチ７の並列接続体と直列に限流抵抗１５を接続した起動回路１６を電源リレー２と並列に接続するようにしたので、制御手段８’への電源が供給されていなくても水位スイッチ７により水漏れを検出できるので、待機時消費電力をほとんど零にしても洗浄槽からの溢水を防ぐことができる。
【００７０】
また、電源リレー２と並列に接続された水位スイッチ７あるいは起動スイッチ９と直列接続した限流抵抗１５を介して整流回路１３の平滑コンデンサ１３ｂ、１３ｂ’が充電されるので、水位スイッチ７あるいは起動スイッチ９に流れる突入電流を大幅に減らすことができるだけではなく、電源リレー２の突入電流も減らすことができるので、水位スイッチ７、起動スイッチ９、さらに電源リレー２の接点の劣化を防ぎ、信頼性を向上することができる。
【産業上の利用可能性】
【００７１】
以上のように、本発明にかかる食器洗浄装置は、起動スイッチあるいは水位スイッチにより制御手段に通電可能とし、設定水位に達すると制御手段に通電されて運転起動して給水手段からの水漏れを検出することができ、運転中以外は通電されないため待機時消費電力をほとんど零にすることができるので、洗浄槽内に給水して食器を洗浄する食器洗浄装置として有用である。
【図面の簡単な説明】
【００７２】
【図１】本発明の第１の実施の形態における食器洗浄装置のブロック図
【図２】同食器洗浄装置の動作を示すフローチャート
【図３】本発明の第２の実施の形態における食器洗浄装置の動作を示すフローチャート
【図４】同食器洗浄装置の溢水異常処理サブルーチンのフローチャート
【図５】本発明の第３の実施の形態における食器洗浄装置のブロック図
【符号の説明】
【００７３】
１  交流電源
２  電源リレー（電源開閉手段）
３  パワースイッチング手段
４  給水弁（給水手段）
５  洗浄ポンプ（洗浄手段）
６  排水ポンプ（排水手段）
７  水位スイッチ
８  制御手段
９  起動スイッチ
【図１】
2005095484.tif 000003
【図２】
2005095484.tif 000004
【図３】
2005095484.tif 000005
【図４】
2005095484.tif 000006
【図５】
2005095484.tif 000007